(57)【要約】【課題】容易に閉じた状態を維持させることのできるトングを提供する。【解決手段】トング１は、第１操作部３ａにおける第２操作部３ｂ側に、長さ方向に設けられたレール部材６と、レール部材６に沿って第１操作部３ａを摺動可能なスライド部材５と、第２操作部３ｂにおける第１操作部３ａ側に設けられ、スライド部材５がレール部材６の上端部側にある場合にスライド部材５を嵌合させる凹部７を有する。スライド部材５をレール部材６に沿って長さ方向における上端側から下端側に摺動させることで、凹部７の有する係合部材とスライド部材５の一端部とが係合されて、トング１が閉じた状態を維持する。【選択図】図１
0003162649.tif 000002
【実用新案登録請求の範囲】
【請求項１】
相対向してそれぞれ設けられ、把持対象物を把持する左右一対の第１および第２把持部と、前記第１および第２把持部を長さ方向の下端側に有するとともに相対向して上方に延在し、前記第１および第２把持部に把持または把持解除させる左右一対の第１および第２操作部と、前記第１および第２操作部の各々の上端部において一体的に連結し、上方に向けて左右方向に折り返す折り返し部とを備えるトングであって、
前記第１および第２把持部が閉じた状態を第１状態、前記第１状態が維持される状態を第２状態とし、
前記第１操作部における前記第２操作部側に設けられ、長さ方向に延在するレール部材と、
前記レール部材に沿って摺動可能なスライド部材と、
前記第２操作部における前記第１操作部側に設けられ、前記第１状態において前記スライド部材を嵌合させる凹部とを備え、
前記凹部は、長さ方向における下端側に前記スライド部材の一端部と係合する係合部材を有し、
前記第１状態において、前記スライド部材を前記レール部材に沿って長さ方向における上端側から下端側に摺動させることで、前記スライド部材の一端部と前記係合部材とが係合されて、前記第２状態に切り替わることを特徴とするトング。
【請求項２】
前記スライド部材の一端部は、
前記第２操作部に向けて突設する凸部と、
前記凸部の先端部において前記第２操作部の幅方向における一方方向に突設する第１突部とを備え、
前記係合部材は、
前記第２操作部の幅方向における他方方向に突設し、かつ前記第１突部より長さ方向の下端側に位置する第２突部を備え、
前記第１状態において、前記スライド部材の第１突部を前記凹部に嵌合させたあと、前記スライド部材を前記レール部材に沿って長さ方向における上端側から下端側に摺動させることで、前記スライド部材の一端部の第１突部と前記係合部材の第２突部とが係合されて、前記第２状態に切り替わる請求項１に記載のトング。
【考案の詳細な説明】
【技術分野】
【０００１】
この考案は、食材を把持するトングに関する。
【背景技術】
【０００２】
魚や肉などの食材を把持するトングにおいて、不使用時に食材を把持する把持部を閉じた状態に維持することのできるトングが、たとえば、実用新案登録第３１４６７２５号に開示されている。特許文献１が開示するトングは、食材などの把持対象物を把持するための一対をなす一方および他方の把持部と、一方および他方の把持部のそれぞれにおける一方端側に設けられ、一方および他方の把持部による把持・把持解除操作を行うための一対をなす一方および他方の操作部と、一方および他方の操作部において把持部が設けられる端部とは異なる端部に設けられ、一方および他方の操作部同士を一体的に折り返して連結する折り返し部と、を有している。
【０００３】
また、このトングは、一方の操作部に設けられ、他方の操作部に向けて突設する第１の突部、および、その第１の突部の先端に設けられ、一方の操作部の幅方向における一方向に突設する第２の突部を含む係合部と、他方の操作部に設けられ、一方の操作部に向けて突設する第３の突部、および、その第３の突部の先端に設けられ、他方の操作部の幅方向における他方向に突設する第４の突部を含む係合受け部と、を有している。
【０００４】
これによれば、トングは、係合部における第２の突部と係合受け部における第４の突部とが引っかけられることにより、閉じた状態を維持している。
【考案の概要】
【考案が解決しようとする課題】
【０００５】
しかしながら、このトングにおいて、閉じた状態を維持させる（すなわち、第２の突部と第４の突部とを引っかける）には、使用者が一方および他方の操作部を閉じる方向に狭めながら、かつ、把持対象物を把持するための動作方向とは異なる方向にずらさなければならない。この動作は、人間の手の構造上、トングを握っている手ではやりにくい。従って、使用者はトングを閉じた状態に維持させるために、わざわざ持ちかえるか、あるいは、両手を使わなければならないという煩わしさがあった。
【０００６】
この考案の目的は、上記した問題点に鑑みてなされたものであり、容易に閉じた状態を維持させることのできるトングを提供することである。
【課題を解決するための手段】
【０００７】
この考案に係るトングは、相対向してそれぞれ設けられ、把持対象物を把持する左右一対の第１および第２把持部と、前記第１および第２把持部を長さ方向の下端側に有するとともに相対向して上方に延在し、前記第１および第２把持部に把持または把持解除させる左右一対の第１および第２操作部と、前記第１および第２操作部の各々の上端部において一体的に連結し、上方に向けて左右方向に折り返す折り返し部とを備えるトングであって、前記第１および第２把持部が閉じた状態を第１状態、前記第１状態が維持される状態を第２状態とし、前記第１操作部における前記第２操作部側に設けられ、長さ方向に延在するレール部材と、前記レール部材に沿って摺動可能なスライド部材と、前記第２操作部における前記第１操作部側に設けられ、前記第１状態において前記スライド部材を嵌合させる凹部とを備え、前記凹部は、長さ方向における下端側に前記スライド部材の一端部と係合する係合部材を有し、前記第１状態において、前記スライド部材を前記レール部材に沿って長さ方向における上端側から下端側に摺動させることで、前記スライド部材の一端部と前記係合部材とが係合されて、前記第２状態に切り替わることを特徴とする。
【０００８】
好ましくは、前記スライド部材の一端部は、前記第２操作部に向けて突設する凸部と、前記凸部の先端部において前記第２操作部の幅方向における一方方向に突設する第１突部とを備え、前記係合部材は、前記第２操作部の幅方向における他方方向に突設し、かつ前記第１突部より長さ方向の下端側に位置する第２突部を備え、前記第１状態において、前記スライド部材の第１突部を前記凹部に嵌合させたあと、前記スライド部材を前記レール部材に沿って長さ方向における上端側から下端側に摺動させることで、前記スライド部材の一端部の第１突部と前記係合部材の第２突部とが係合されて、前記第２状態に切り替わる。
【考案の効果】
【０００９】
この考案によれば、第１状態にある場合、スライド部材をレール部材に沿って長さ方向の上端側から下端側に摺動させることで、係合部材とスライド部材の一端部が係合されて、第２状態に切り替わるため、容易に閉じた状態を維持することのできるトングを提供できる。
【図面の簡単な説明】
【００１０】
【図１】この実施形態におけるトングを示す概略斜視図である。
【図２】図１において四角で囲った範囲の拡大図である。
【図３】閉状態のトングを示す平面図であり、（ａ）は上方からの図であり、（ｂ）は下方からの図である。
【図４】（ａ）は図３におけるＡ−Ａの矢視図であり、（ｂ）は図３におけるＢ−Ｂの矢視図である。
【図５】（ａ）は図３におけるＣ−Ｃの矢視図であり、（ｂ）は図３におけるＤ−Ｄの矢視図であり、（ｃ）は図３におけるＥ−Ｅの矢視図である。
【図６】（ａ）は、スライド部材を示す平面図であり、（ｂ）は（ａ）におけるＦ−Ｆの矢視図であり、（ｃ）は（ａ）におけるＧ−Ｇの矢視図である。
【図７】トングが閉状態である場合において、スライド部材の位置を場合別で示す平面図であり、（ａ）はスライド部材が長さ方向における上端側に配置される場合を示し、（ｂ）はスライド部材が長さ方向における下端側に配置される場合を示す。
【図８】図７（ａ）の場合に関する図であり、（ａ）は図７（ａ）におけるＨ−Ｈの矢視図であり、（ｂ）は（ａ）におけるＪ−Ｊの矢視図である。
【図９】図７（ｂ）の場合に関する図であり、（ａ）は図７（ｂ）におけるＩ−Ｉの矢視図であり、（ｂ）は（ａ）におけるＫ−Ｋの矢視図である。
【考案を実施するための形態】
【００１１】
以下、この考案の一実施形態を、図面を参照して説明する。図１は、この実施形態におけるトングを示す概略斜視図である。また、図２は図１において四角で囲った範囲の拡大図である。なお、以下の説明においては、図１に示されるように、トング１に対する方向を次のように規定する。すなわち、折り返し部と両把持部とが配置される方向を長さ方向とし、折り返し部側を上方向で両把持部側を下方向とする。両把持部および両操作部が幅を有する方向を幅方向とし、図１の上方向を幅方向の上方向、図１の下方向を幅方向の下方向とする。また、第１把持部および第１操作部と第２把持部および第２操作部とが配置される方向を左右方向とし、第１把持部と第１操作部側を右方向、第２把持部および第２操作部側を左方向とする。
【００１２】
まず、図１を参照して、トング１は、プラスチックを含む合成樹脂より形成され、相対向してそれぞれ設けられ、食材などの把持対象物を把持する左右一対の第１把持部２ａおよび第２把持部２ｂと、第１把持部２ａおよび第２把持部２ｂを長さ方向の下端側に有するとともに相対向して上方に延在し、第１把持部２ａおよび第２把持部２ｂに把持または把持解除させる左右一対の第１操作部３ａおよび第２操作部３ｂと、第１操作部３ａおよび第２操作部３ｂの各々の上端部において一体的に連結し、上方に向けて左右方向に折り返し、第１把持部２ａおよび第２把持部２ｂを所定の幅だけ左右方向に離間させる付勢力を有する折り返し部４と、を含む。
【００１３】
次に、図２を参照して、トング１は、第１操作部３ａにおける第２操作部３ｂ側に、長さ方向に設けられたレール部材６と、レール部材６に沿って第１操作部３ａを摺動可能なスライド部材５と、第２操作部３ｂにおける第１操作部３ａ側に設けられ、スライド部材５がレール部材６の上端部側にある場合にスライド部材５を嵌合させる凹部７と、を有する。なお、トング１は、折り返し部４の付勢力により、第１把持部２ａおよび第２把持部２ｂを所定の幅だけ離間される状態で維持される。以下ではこの状態を「開状態」という。また、第１把持部２ａおよび第２把持部２ｂが閉じた状態を「閉状態（第１状態）」という。
【００１４】
再び図１を参照して、トング１の長さ方向における長さは、略３０ｃｍ（センチメートル）で、開状態にある場合の第１操作部３ａと第２操作部とがなす角は、略２０°（度）である。なお、トング１の長さおよび第１操作部３ａと第２操作部とがなす角は上記が好ましいが、これに限られるものではない。
【００１５】
第１把持部２ａおよび第２把持部２ｂは、幅方向における上方端部が連結され、下端部に複数の爪状部を有している。複数の爪状部の先端部分は、両把持部２ａ，２ｂが相対向する側に緩やかに湾曲しているのが好ましい。これにより、たとえば、把持対象物である魚がまな板などの床面にくっついていても、爪状部の先端部分を魚とまな板との間に引っかけることで容易に把持することが可能となる。
【００１６】
第１操作部３ａおよび第２操作部３ｂは、トング１の使用者により握られることで、第１操作部３ａおよび第２操作部３ｂの離間している幅が狭まり、第１把持部２ａおよび第２把持部２ｂに把持対象物を把持させる。また、握りが戻されると、折り返し部４の付勢力により、第１操作部３ａおよび第２操作部３ｂの幅が所定の幅まで離間され、第１把持部２ａおよび第２把持部２ｂの把持が解除されて、トング１は開状態となる。すなわち、トング１の使用時における動作は、一般的なトングと略同様である。
【００１７】
なお、両把持部は、上記した第１把持部２ａおよび第２把持部２ｂの形状に限ることなく、公知の形状、たとえば、特許文献１に開示される把持部の形状であってもよい。
【００１８】
なお、折り返し部４は、第１操作部３ａおよび第２操作部３ｂを所定の幅に離間させるための所定の形状を記憶した金属製の板部材を、折り返しの形状に沿って備えるようにしてもよい。
【００１９】
次に、トング１の閉状態を維持するための構成（以下、「摺動の機構」という）について説明する。図３は閉状態のトングを示す平面図であり、図３（ａ）は幅方向の上方からの図であり、図３（ｂ）は幅方向の下方からの図である。また、図４（ａ）は、図３におけるＡ−Ａの矢視図であり、図４（ｂ）は、図３におけるＢ−Ｂの矢視図である。図５（ａ）は図３におけるＣ−Ｃの矢視図であり、図５（ｂ）は図３におけるＤ−Ｄの矢視図であり、図５（ｃ）は図３におけるＥ−Ｅの矢視図である。なお、図３および図４には、説明上、スライド部材５を示さずに、図５には破線によりスライド部材５を示す。
【００２０】
まず、図３（ａ）を参照して、トング１は、第１操作部３ａおよび第２操作部３ｂにおける幅方向の上方側において、折り返し部４から所定の長さだけ離れた位置に、長さ方向に延在し、略矩形状で、両端側が半円形状に形成された凹部を有し、その凹部は第１操作部３ａと第２操作部３ｂとの中心で分割するように略対称的に形成されている。また、図３（ｂ）を参照して、トング１は、第１操作部３ａおよび第２操作部３ｂにおける幅方向の下方側においても、略同様の凹部を有している。詳細は後述するが、ここで説明した両操作部の上方側および下方側に設けられた凹部は、トング１が閉じた状態においてスライド部材５が長さ方向に摺動する場合に、第１操作部３ａに設けられたスライド部材５の天井部５ｂおよび底板部５ｃが、第２操作部３ｂに嵌合した状態で移動できる程度の広さ（凹部の面積）および深さ（幅方向における長さ）を有する。好ましくは、凹部の深さは後述するスライド部材５の天井部５ｂおよび底板部５ｃの厚み（幅方向における長さ）よりやや浅いほうが好ましい。
【００２１】
次に、図４（ａ）を参照して、第１操作部３ａは、上記したように、折り返し部４から所定の長さだけ離れた位置において、幅方向の上部および下部のそれぞれに凹部６ａおよび凹部６ｂを対称的に有している。また、図５（ａ）〜（ｃ）を参照すると、レール部材６の第２操作部側の先端部における幅方向には、端部６ｃおよび端部６ｄが形成されている。矢視図で示されるいずれの位置においても、第１操作部３ａの第２操作部３ａ側の形状は不変である。すなわち、第１操作部３ａは、断面が一様な凸型のレール部材６を有する。
【００２２】
一方、図４（ｂ）を参照して、第２操作部３ｂは折り返し部４から所定の長さだけ離れた位置において、第２操作部３ｂにおける幅方向の上部および下部にそれぞれ凹部７ａおよび凹部７ｂを有している。図５（ａ）〜（ｃ）を参照して、矢視図で示されるいずれの位置においても、凹部７ａの形状は不変である。凹部７ｂは、図５（ａ）の矢視図が示す位置において、端部７ｃが存在するため凹部７ｂとしての深さ（幅方向上方への長さ）はほとんどない。図中の破線で示されるように、後述するスライド部材５の底板部５ｃの幅方向の長さと略同一である。図５（ｂ）の矢視図が示す位置においては、凹部７ｂとしての深さ（幅方向上方への長さ）が略中央部に至るまで深くなっている。図５（ｃ）の矢視図が示す位置において、端部７ｄが第１操作部２ａ側に突設して形成されている。すなわち、端部７ｄの左方向には溝部７ｅが形成されている。なお、凹部７ｂ内における端部７ｃ、端部７ｄ、および溝部７ｅを幅方向の下方から見た形状の概略は図３（ｂ）に示されている。なお、端部７ｄは係合部材に含まれ、第２突部に該当する。
【００２３】
次に、スライド部材５について説明する。図６（ａ）は第２操作部３ｂ側から見たスライド部材５を示す平面図である。また、図６（ｂ）および（ｃ）は、図６（ａ）におけるＦ−ＦおよびＧ−Ｇの矢視図である。図６（ａ）を参照して、スライド部材５は、矩形状を有し、長さ方向および幅方向が形成する平面に対して平行な板状の平板部５ａと、平板部５ａの幅方向における上端側に設けられ、長さ方向および左右方向が形成する平面に平行な略楕円形状の面を有する天井部５ｂと、平板部５ａの幅方向における下端側に設けられ、長さ方向および左右方向が形成する平面に平行な略楕円形状の面を有する底板部５ｃと、を含む。天井部５ｂおよび底板部５ｃの厚み（幅方向における長さ）は、上記したように、第１操作部３ａおよび第２操作部３ｂが有する凹部６ａ、凹部６ｂ、凹部７ａおよび凹部７ｂの深さと略同一に形成される。また、図６（ａ）および（ｂ）を参照して、天井部５ｂおよび底板部５ｃは、略楕円形状であるため、左右方向の第１操作部３ａ側および第２操作部３ｂ側の両方向に向けて凸部を形成している。換言すれば、スライド部材５は、第２操作部３ｂに向けて突設される凸部を含む。また、天井部５ｂは、第１操作部３ａ側の先端部において、幅方向の下方向に向けて端部５ｄを突設させ、底板部５ｃも同様に、第１操作部３ａ側の先端部において、幅方向における上方向に向けて端部５ｅを突設させる。
【００２４】
すなわち、スライド部材５は、スライド部材５における第１操作部側が有する形状が凹として作用し、また、第１操作部３ａにおけるスライド部材５側が有する形状が凸として作用するため、第１操作部３ａとスライド部材５との間における断面形状は凹凸が一致して嵌合される。これにより、スライド部材５が第１操作部のレール部材６に保持され、スライド部材５は長さ方向に摺動が可能となる。
【００２５】
一方、図６（ａ）および（ｃ）を参照して、底板部５ｃは、第２操作部３ｂ側の先端部の長さ方向における下端側において、幅方向の上方向に向けて、端部５ｆを突設させる。この端部５ｆについての詳細は後述する。なお、底板部５ｃおよび端部５ｆはスライド部材５の一端部に該当する。
【００２６】
次に、スライド部材５の摺動により、トング１が閉状態（第１状態）から閉状態が維持される維持状態（第２状態）に切り替わる動作およびその作用について説明する。図７は、トング１が閉状態である場合において、スライド部材５の位置を場合別で示す平面図であり、（ａ）はスライド部材５が長さ方向における上端側に配置される場合を示し、（ｂ）はスライド部材５が長さ方向における下端側に配置される場合を示す。また、図８は図７（ａ）の場合に関する図であり、図８（ａ）は図７（ａ）におけるＨ−Ｈの矢視図であり、図８（ｂ）は図８（ａ）におけるＪ−Ｊの矢視図である。また、図９は、図７（ｂ）の場合に関する図であり、図９（ａ）は図７（ｂ）におけるＩ−Ｉの矢視図であり、図９（ｂ）は図９（ａ）におけるＫ−Ｋの矢視図である。
【００２７】
まず、図７（ａ）および図８（ａ）を参照して、スライド部材５が長さ方向における上端部側に位置する場合、スライド部材５の底板部５ｃおよび端部５ｆは、第２操作部３ｂが有する凹部７ｂに嵌合され、トング１は閉じた状態となる。この閉じた状態、すなわち、第１状態にある場合に、トング１は折り返し部４の付勢力により開状態に戻ろうとする。ここで、トング１が開状態に戻る経路には、底板部５ｃおよび端部５ｆを規制するようなものがない。図８（ｂ）を参照してもわかるように、スライド部材５が長さ方向の上端部にある場合、第２操作部３ｂの凹部７ｂとスライド部材５とにおいて、いずれの構成もその開状態に戻る経路（付勢力がかかる方向）を邪魔するものが存在しない。従って、閉状態（第１状態）および開状態の間では、上記したように、一般的なトングと略同様の動作が可能である。なお、図８（ａ）および（ｂ）を参照して、Ｊ−Ｊによる矢視図が形成する平面において、端部５ｆと端部７ｄとは同一平面上に位置している。また、端部７ｄは、端部５ｆより長さ方向の下端側で、かつ、第１操作部３ａ側に位置している。なお、凹部７ｂは、スライド部材５を嵌合させる凹部である。
【００２８】
次に、図７（ｂ）および図９（ａ）を参照して、スライド部材５が長さ方向における下端部側に位置する場合、スライド部材５の有する端部５ｆと凹部７の有する端部７ｄとがトング１の折り返し部４による付勢力のかかる向きに対して平行に位置して係合している。このような端部５ｆと端部７ｄとの配置により、折り返し部４による付勢力に対しての反作用力が端部５ｆと端部７ｄとの間に発生する。従って、折り返し部４の付勢力と端部５ｆおよび端部７ｄとの間に発生した反作用力とが打ち消し合って、閉じた状態が維持される状態（第２状態）となる。なお、このとき、端部５ｆはスライド部材５の一端部に含まれ、第１突部に該当する。また、端部７ｄは係合部材に含まれ、第２突部に該当する。
【００２９】
すなわち、長さ方向における上端側から下端側にレール部材６に沿ってスライド部材５を摺動させることで、凹部７ｂの端部７ｄとスライド部材５の端部５ｆとが係合されて、第１状態の閉状態から第２状態である維持状態に切り替えられる。
【００３０】
従って、この実施形態におけるトング１は、スライド部材５を摺動させるという容易な操作により、閉じた状態を維持するようにすることができる。
【００３１】
ここで、摺動の機構に関する長さの関係について説明する。端部５ｆの長さ方向の長さをｘ１、端部７ｃの長さ方向における下端部から端部７ｄの上端部までの距離をｘ２とする場合、摺動の機構において、ｘ２はｘ１より長い。好ましくは、ｘ２はｘ１の約１．５倍以上である。また、スライド部材５が摺動する距離をｘ３とすると、ｘ３はｘ１より長い。好ましくは、ｘ３は、ｘ１の約１．５倍以上である。なお、溝部７ｅにおける長さ方向の上端部から下端部までの長さをｘ４とすると、ｘ４はｘ１より長い。
【００３２】
なお、この実施形態におけるレール部材６とスライド部材５とにおける摺動の機構の関係は、レール部材６が凸型で、スライド部材５が凹型の場合について説明したが、レール部材６が凹として作用し、スライド部材５が凸として作用する構成にしてもよい。また、摺動の機構は、第１操作部３ａ側における構成および作用と第２操作３ｂ側における構成および作用とが入れ替えられたものであってもよい。
【００３３】
なお、スライド部材５を摺動させる摺動の機構は、トング１の長さ方向における上端側の最上端部から、５センチメートルから２０センチメートルの範囲内に設けられるのが好ましい。トング１を使用する人の親指一本でスライド部材５を摺動させやすくなるからである。
【００３４】
なお、上記の実施形態に、さらに、第２の状態においてスライド部材５を固定するスライド部材固定手段を備えてもよい。たとえば、トング１に対してスライド部材５が長さ方向の下端側に位置する場合の端部５ｆの長さ方向における下端側近傍で、かつ、スライド部材５の摺動による端部５ｆの経路に、約１ｍｍ（ミリメートル）程度の端部を設ける。これにより、第２状態におけるスライド部材５がさらに強固に維持される。
【００３５】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【符号の説明】
【００３６】
１  トング、２ａ  第１把持部、２ｂ  第２把持部、３ａ  第１操作部、３ｂ  第２操作部、４  折り返し部、５  スライド部材、５ａ  平板部、５ｂ  天井部、５ｃ  底板部、５ｄ，５ｅ，５ｆ，７ｃ，７ｄ，  端部、６  レール部材、６ａ，６ｂ，７，７ａ，７ｂ  凹部、７ｅ  溝部。
【図１】
0003162649.tif 000003
【図２】
0003162649.tif 000004
【図３】
0003162649.tif 000005
【図４】
0003162649.tif 000006
【図５】
0003162649.tif 000007
【図６】
0003162649.tif 000008
【図７】
0003162649.tif 000009
【図８】
0003162649.tif 000010
【図９】
0003162649.tif 000011